(57)【特許請求の範囲】
【請求項１】
鉱物材料処理プラントの制御方法であって、
前記処理プラント（１００）に待機モードへの切り換え指令を付与することと、
前記待機モードへの前記切り換え指令に応答して、前記処理プラント（１００）の破砕機（２００）への鉱物材料の供給を制限することと、
前記待機モードへの前記切り換え指令に応答して、前記処理プラント（１００）の１つまたは複数の原動機（１０４）の速度を処理速度（Ｒｆ）から減速された待機速度（Ｒｓｂ）に減速することと、
前記処理プラント（１００）のほぼすべての選択されたアクチュエータであって前記原動機の動力で駆動されるアクチュエータが、減速された速度での運転を継続することを確実にすることと、
を特徴とすると共に、
前記待機モードへの前記切り換え指令が、待機モード起動条件の達成から所定時間経過後に自動的に付与されることと、  前記待機モード起動条件が、前記処理プラントの破砕機の破砕チャンバが空であることを示す測定情報であることと、
を特徴とする、方法。
【請求項２】
鉱物材料処理プラントの制御方法であって、
前記処理プラント（１００）に待機モードへの切り換え指令を付与することと、
前記待機モードへの前記切り換え指令に応答して、前記処理プラント（１００）の破砕機（２００）への鉱物材料の供給を制限することと、
前記待機モードへの前記切り換え指令に応答して、前記処理プラント（１００）の１つまたは複数の原動機（１０４）の速度を処理速度（Ｒｆ）から減速された待機速度（Ｒｓｂ）に減速することと、
前記処理プラント（１００）のほぼすべての選択されたアクチュエータであって前記原動機の動力で駆動されるアクチュエータが、減速された速度での運転を継続することを確実にすることと、
を特徴とすると共に、
処理モードに戻す切り換え指令を前記処理プラント（１００）に付与することと、
前記処理プラント（１００）の前記１つまたは複数の原動機（１０４）の速度を、前記処理モードに戻す前記切り換え指令に応答して、前記待機速度（Ｒｓｂ）から前記処理速度（Ｒｆ）に上昇させることと、
前記処理プラント（１００）への前記鉱物材料の供給を可能にすることと、
前記処理モードへの前記切り換え指令が、処理モード起動条件の達成から所定時間経過後に自動的に付与されることと、
を特徴とする、方法。
【請求項３】
前記待機モードへの前記切り換え指令が、スイッチ（１１１、１１１'）を操作することによって付与される、ことを特徴とする請求項２に記載の方法。
【請求項４】
前記待機速度（Ｒｓｂ）が、支配的な周囲条件に従って選択される、ことを特徴とする請求項１〜３のいずれか一項に記載の方法。
【請求項５】
前記支配的な周囲条件が、気象条件および／または運転場所を含む、ことを特徴とする請求項４に記載の方法。
【請求項６】
前記破砕機（２００）への前記鉱物材料の供給が、前記供給に関与するアクチュエータを停止することによって、あるいは、その速度を十分に減速することによって制限される、ことを特徴とする請求項１〜５のいずれか一項に記載の方法。
【請求項７】
少なくとも１つの原動機（１０４）と、
少なくとも１つのアクチュエータと、
制御システム（１１０、２１４）と、
を備えた鉱物材料処理プラント（１００）であって、前記処理プラントが、
前記処理プラントを待機モードに切り換えるためのスイッチ（１１１、１１１'）と、
前記処理プラント（１００）の選択されたアクチュエータを減速された待機速度で運転維持するための装置と、
をさらに含み、この処理プラント（１００）においては、
前記制御システムが、前記処理プラント（１００）を、請求項１〜６のいずれか一項に記載の方法に従って制御するように構成される、
ことを特徴とする鉱物材料処理プラント。
【請求項８】
前記アクチュエータには篩分け装置が含まれる、請求項７に記載の鉱物材料処理プラント。
【請求項９】
前記処理プラントが以下、すなわち、定置式のプラント、無限軌道ベースのプラント、車輪ベースのプラント、のいずれか一つである、ことを特徴とする請求項７に記載の鉱物材料処理プラント。
【請求項１０】
鉱物材料処理プラント（１００）を制御するための制御システムであって、前記制御システムが、前記処理プラント（１００）を、請求項１〜６のいずれか一項に記載の方法に従って制御するように構成される、ことを特徴とする制御システム。
【請求項１１】
コンピュータにおいて実行可能なプログラムコードを含むコンピュータプログラムであって、前記プログラムコードは、それが実行されると、前記コンピュータを、請求項１〜６のいずれか一項に記載の方法を実行するように制御する、ことを特徴とするコンピュータプログラム。
【発明の詳細な説明】
【技術分野】
【０００１】
本発明は、鉱物材料処理プラントの制御方法および鉱物材料処理プラントに関する。本発明は、それ以外を排除するわけではないが、特に、移動式の鉱物材料処理プラントと、その制御とに関する。
【背景技術】
【０００２】
鉱物材料、例えば岩石は、爆破または掘削による破砕用の土壌から得られる。また、鉱物材料は、天然の岩石および砂利、または建設廃棄物である可能性もある。破砕には、移動式破砕機および定置式の破砕装置が用いられる。掘削機またはホイールローダが、被破砕材料を破砕機の供給ホッパの中に積載し、そこから、被破砕材料が破砕機の中に落下することができるか、あるいは、供給機が岩石材料を破砕機の方に搬送する。
【０００３】
鉱物材料処理プラントは、１つ以上の破砕機および／または篩分け装置と、場合によってはコンベヤのような他の装置とを備えている。処理プラントは定置式または移動式とすることができる。特に移動式の処理プラントは、都市環境において、建設廃棄物のようなリサイクル可能材料の処理に用いられる。
【０００４】
処理プラントの容量は、それを経済的に十分に利用することが目標になる。従って、破砕機には高い破砕動力が連続的に負荷され、同時に、使用される破砕動力は、計画された製品分布を生じるように管理される。破砕事象の中断は効率を低下させる。また、処理プラントの始動も、プラントの容量の効率的な使用をさらに妨げる、時間のかかる作業である。
【０００５】
鉱物材料の処理プラントは、極端な周囲条件、例えば非常に寒冷な周囲条件においても使用され、その場合、処理プラントは、被取扱い材料がプラントに供給されていない時にも運転を維持するように要求されることがある。種々の法律および行政側の命令も、処理プラントの使用、始動および運転を規制する。
【０００６】
本発明の目的は、処理作業に迅速かつ安全に持ち込めるような鉱物材料処理プラントを提供することにある。本発明の別の目的は、エネルギー効率良く運転を維持できる処理プラントを提供することである。本発明の別の目的は、有効な破砕または他の処理時間を可能な限り長くできるようにすることである。
【摘要】
【０００７】
本発明の第１の態様によれば、鉱物材料処理プラントの制御方法が提供される。この方法は、
処理プラントに待機モードへの切り換え指令を付与することと、
前記待機モードへの切り換え指令に応答して、処理プラントへの鉱物材料の供給を制限することと、
前記待機モードへの切り換え指令に応答して、処理プラントの１つまたは複数の原動機の速度を処理速度から減速された待機速度に減速することと、
処理プラントのほぼすべての選択されたアクチュエータが、減速された速度での運転を継続することを確保することと、
を含む。
【０００８】
待機モードへの切り換え指令は、スイッチを操作することによって付与されることが望ましい。
【０００９】
待機モードへの切り換え指令は、待機モード起動条件の達成から所定時間経過後に自動的に付与されることが望ましい。
【００１０】
待機モード起動条件は、処理プラントにおいて処理されるべき鉱物材料の量の検出または測定情報であることが望ましい。
【００１１】
待機速度は、支配的な周囲条件に従って選択されることが望ましい。
【００１２】
支配的な周囲条件は、気象条件および／または運転場所を含むことが望ましい。
【００１３】
処理プラントへの鉱物材料の供給は、供給に関与するアクチュエータを停止することによって、あるいは、その速度を十分に減速することによって制限されることが望ましい。
【００１４】
前記方法において、処理モードに戻す切り換え指令が処理プラントに付与され、
処理プラントの１つまたは複数の原動機の速度が、前記処理モードに戻す切り換え指令に応答して、待機速度から処理速度に上昇し、
処理プラントへの鉱物材料の供給が可能になる、
ことが望ましい。
【００１５】
処理モードへの切り換え指令は、スイッチを操作することによって付与されることが望ましい。
【００１６】
処理モードへの切り換え指令は、処理モード起動条件の達成から所定時間経過後に自動的に付与されることが望ましい。
【００１７】
前記処理モード起動条件は、処理プラントにおいて処理されるべき鉱物材料の量の検出または測定情報であることが望ましい。
【００１８】
本発明の第２の態様によれば、鉱物材料処理プラントが提供される。この処理プラントは、
少なくとも１つの原動機と、
少なくとも１つのアクチュエータと、
制御システムと、
処理プラントを待機モードに切り換えるためのスイッチと、
処理プラントの選択されたアクチュエータを減速された待機速度で運転維持するための装置と、
を含み、この処理プラントにおいては、
制御システムが、処理プラントを、本発明の第１態様による方法に従って制御するように構成される。
【００１９】
鉱物材料処理プラントは、破砕機および／または篩分け装置を備えることが望ましい。
【００２０】
鉱物材料処理プラントは、定置式のプラント、無限軌道ベースのプラント、または車輪ベースのプラントであることが望ましい。
【００２１】
本発明の第３の態様によれば、鉱物材料処理プラントを制御するための制御システムが提供される。この制御システムは、処理プラントを、本発明の第１態様による方法に従って制御するように構成される。
【００２２】
本発明の第４の態様によれば、コンピュータにおいて実行可能なプログラムコードを含むコンピュータプログラムが提供される。このプログラムコードは、それが実行されると、コンピュータを、本発明の第１態様による方法を実行するように制御する。
【００２３】
本発明の種々の実施形態を、本発明のいくつかの態様のみに関連付けて以下に説明する。当業者は、本発明の態様のいかなる実施形態も、本発明の同じ態様または他の態様に、単独でまたは他の実施形態と組み合わせて適用され得ることを理解する。
【図面の簡単な説明】
【００２４】
以下、本発明を、添付の図面を参照して、例によって説明する。
【００２５】
【図１ａ】本発明の好ましい一実施形態による鉱物材料処理プラントの側面図を示す。
【図１ｂ】本発明の好ましい一実施形態による鉱物材料処理プラントの動力配分装置を模式的に示す。
【図２】本発明の好ましい一実施形態による鉱物材料処理プラントのアクチュエータの運転を、回転速度に関して示す図であって、この処理プラントは、本発明の好ましい一実施形態による方法に従って制御される。
【図３】本発明の好ましい一実施形態による方法のフローチャートを示す。
【詳細説明】
【００２６】
以下の説明において、同じ番号は類似の要素を示す。例示した図面は、完全にはスケールどおりでないこと、および、図面は、主として、本発明のいくつかの実施形態を図解する目的に役立つものであることが理解されるべきである。
【００２７】
図１ａは、本発明の一例としての実施形態による移動式の装軌型鉱物材料処理プラント１００を示す。この鉱物材料処理プラントについては、単に処理プラントという用語および破砕プラントという用語も以下において使用する。処理プラント１００は、本体１０１と、無限軌道ベース１０２と、供給機１０３と、コーンクラッシャー、ジョークラッシャーまたはジャイレートリークラッシャーのような破砕機２００とを備えている。破砕プラント１００は、さらに、破砕機２００を駆動する原動機ユニット１０４と、破砕された材料を、例えば堆積場に搬送するコンベヤ１０５とを備える。破砕機２００は、例えば中間クラッシャーまたはアフタークラッシャーとして用いることが可能である。特に、破砕機２００は微細破砕に用いることができる。移動式の破砕プラント１００は、車輪、スキッドまたは支脚のような他の手段によっても移動させることができる。破砕プラント１００は定置式とすることもできる。供給機１０３のタイプは、振動フィーダ、あるいはベルトコンベヤまたはスラットコンベヤとすることができる。
【００２８】
破砕プラント１００は、さらに、制御システム２１４と、制御ユニット１１０とを備えている。この制御ユニット１１０によって、破砕プラント１００を待機モードに移行させることができる。図１ａにおいては、明確化のため、制御ユニット１１０を制御システム２１４から分離して示しているが、制御ユニット１１０は、制御システム２１４に統合させることができる。破砕プラント１００は、また、無線または固定結線のいずれかによって制御ユニット１１０に接続される待機操作スイッチ１１１および１１１'をも備えている。代わりの方式では、ただ１つの操作スイッチのみが設けられる。好ましい一実施形態によれば、操作スイッチ１１１および１１１'を、無線または固定結線のいずれかによって操作可能なように構成することができる。破砕プラント１００は、待機モードにおいては自動作動させることが可能であり、待機モードから処理モードへは、操作スイッチ１１１および１１１'を一押しすることによって、あるいはそのスイッチの同様のスイッチ操作によって戻すことができる。好ましい一実施形態によれば、制御ユニット１１０または制御システムは、破砕プラント１００を、待機モードにおいて、あるいは処理モードにおいても自動作動させることを可能にする装置を含む。処理プラント１００の待機モードまたは処理モードへの自動的な移行は、好ましい一実施形態によれば、待機モードまたは処理モード起動条件の達成から所定時間経過後に開始される。待機モードまたは処理モードの起動条件は、好ましい一実施形態によれば、処理プラント１００における鉱物材料の量の検出または測定情報であり、例えば、処理プラント１００への鉱物材料の供給が中断されたことの検出、あるいは、破砕機２００の破砕チャンバが空であることに基づいた測定情報である。前記の所定時間は、運転員によって選択することができるか、あるいは、制御ユニットによって自動的に選択することができる。当業者にとっては、待機モードまたは処理モードへの自動的な切り換えは、既知の別の方法によって、あるいは別の従来の起動条件の選択によっても実施し得ることが明らかである点が理解されるべきである。
【００２９】
図１ｂは、好ましい一実施形態による鉱物材料処理プラント１００の動力配分装置を模式的に示す。原動機１０４は、例えば、ディーゼルエンジンまたは電気モータとすることができるが、この原動機が、諸アクチュエータ、例えば、破砕機２００、供給機１０３、コンベヤ１０５、篩分け装置および振動シュート１３０用の運転動力を生成する。冷却器１１４のような補助装置を、原動機１０４に接続して配置することができる。動力配分装置は、また、ほぼすべての選択されたアクチュエータを待機モードで確実に運転継続させる装置１５０をも備えている。典型的な一実施形態によれば、これらのアクチュエータは、駆動動力をディーゼルエンジンから得る液圧システムによって駆動され、破砕プラント１００は、待機モードにおいても、すべての選択されたアクチュエータへの液圧流体の流れの配分を、確実に、それらのアクチュエータが減速された速度での運転を継続するような比率にする装置１５０を備えている。好ましい一実施形態によれば、そのような装置として、例えば、後補償流量配分弁装置を用いることが可能である。一例としての実施形態によれば、アクチュエータが１つまたは複数の電気モータによって操作され、破砕プラント１００は、アクチュエータが減速された速度で運転継続するように、選択されたアクチュエータの速度を、その１つまたは複数の電気モータによって制御する装置１５０を含む。代わりの方式として、アクチュエータを、電気モータから駆動動力を得る液圧システムによって、あるいは他の既知の動力伝達装置によって操作することが可能である。当業者には、処理プラント１００の動力配分装置が、図１ｂには示されていない他の要素をも含み得ること、あるいは、いくつかの実施形態においては、動力配分装置が図に示す要素の一部分のみを含むことが明らかである点が理解されるべきである。また、図１ｂに示すアクチュエータの個数は単に一例であり、アクチュエータの個数およびタイプは、処理プラント１００の構成に従って、状況に応じて変わることも明らかである。
【００３０】
図２は、本発明の好ましい一実施形態による鉱物材料処理プラント１００のアクチュエータの運転を、原動機（単数または複数）１０４の回転速度に関して示しており、この処理プラントは、本発明の好ましい一実施形態による方法に従って制御される。図２は、破砕プラント１００の運転中断の後の処理速度までの制御５００と、本発明の好ましい一実施形態による破砕プラント１００の待機モードから処理速度までの制御４００とを、グラフによって示している。１つまたは複数のアクチュエータの回転速度が、図２のグラフの垂直軸に示され、時間が水平軸に示されている。
【００３１】
破砕プラント１００のアクチュエータが停止され、時間間隔０・・・Ｔ１における運転の中断の間、プラントの駆動に用いられる原動機１０４も停止される。一方、代わりの方式として、アクチュエータが停止される間、プラントの駆動に用いられる原動機１０４をアイドリングさせることができる。一例としての実施形態によれば、原動機１０４はディーゼルエンジンまたは電気モータである。
【００３２】
アクチュエータは、破砕プラント始動時には、特定の手順に従って徐々に始動させなければならない。さらに、各アクチュエータには、そのアクチュエータがその処理速度に達する前に必要なそれ自体の立ち上がり時間がある。処理速度という用語は、破砕プラント１００の破砕運転の間、すなわち、破砕プラント１００が材料を処理している時に、アクチュエータが有する速度または機能モードを意味し、このモードにおいては、破砕プラント１００の原動機１０４は処理速度Ｒｆで作動する。
【００３３】
行政側の命令も破砕プラント１００の始動を規制する。始動に先立って、安全確保のために、例えば音響信号を発して、アクチュエータを始動させる前にある特定の待機時間を取らなければならない。
【００３４】
破砕プラント１００は、通常、１つより多いアクチュエータを含み、破砕プラント１００の構成および意図される用途に応じて１２個以上のアクチュエータになることもある。破砕プラント１００の構成に属するアクチュエータは、例えば、主コンベヤおよび副コンベヤのような種々のコンベヤ、金属分離用のマグネットを装備したコンベヤ、篩分け装置、水ポンプ、および破砕機である。破砕プラント１００を処理速度に移行させるには、アクチュエータの個数と、上記の始動手順およびそれに関連する事項とに従って、図２のグラフ５００に見られるように、プラントの構成に応じて特定の時間が必要である。始動に必要な時間Ｔ１・・・Ｔ３は数分間になることもある。
【００３５】
始動に時間Ｔ１・・・Ｔ３が必要であるため、特に被取扱い材料が供給されない時間が短ければ、材料が破砕プラント１００に供給されない時にも、通常、破砕プラント１００を処理速度で作動させるという結果になる。処理速度での連続作動は、エネルギー消費および騒音発生を増大させ、破砕プラント１００の構成要素を摩耗に曝すことになる。
【００３６】
本発明の一実施形態によれば、破砕プラント１００を、運転を中断する代わりに待機モードに駆動することが可能である。待機モードという用語は、破砕プラント１００のほぼすべての選択されたアクチュエータが、減速された待機速度、または待機モード速度、または低減された動力で運転継続するモードを意味する。以下においては、この減速された速度を待機速度と言う。待機速度は、アクチュエータごとに異なるものとすることができ、各アクチュエータが運転継続するような速度とすることができる。ほぼすべての選択されたアクチュエータが減速された待機速度で運転継続するという表現は、本明細書においては、破砕処理に実質的につながっている装置、すなわち鉱物材料の処理に直接接する装置が、主に、その装置の処理速度への加速を促せるように運転を継続することを意味する。しかし、いくつかの例としての実施形態においては、破砕プラント１００のアクチュエータの一部は待機モードにおいて停止される。例えば、供給機または供給機コンベヤは、以下に述べるような供給を防止するために完全に停止することができる。さらに、また、いくつかの例としての実施形態においては、いくつかのアクチュエータ、例えば、冷却装置またはポンプは、待機モードにおいても処理速度で運転しなければならない。待機モードにおいては、破砕プラント１００の原動機１０４は待機速度Ｒｓｂで作動する。待機速度Ｒｓｂは、例えば、原動機１０４のアイドリング速度、あるいは、それとは異なるが処理速度Ｒｆより小さい他の速度とすることができる。好ましい一実施形態によれば、破砕プラント１００は、相互に異なるいくつかの待機速度を有することができる。そのいくつかの待機速度の内、最も妥当な待機速度は、例えば、温度、湿度、風速などを含む気象条件のような支配的な周囲条件に従って、あるいは、破砕プラントの運転場所に従って選択できる。待機速度での運転を維持する所望のアクチュエータは、運転員によって、あるいは自動的に、前以て選択することができる。一例としての実施形態においては、この選択は、支配的な周囲条件および処理プラント１００の構成に左右されることもある。
【００３７】
処理プラント１００への鉱物材料の供給は、待機モードにおいては、供給機または供給機コンベヤが破砕プラントに材料を供給できないように、例えば、供給機または供給機コンベヤを停止することによって、あるいは、待機速度を選択することによって制限される。破砕プラント１００のアクチュエータの損傷または阻害は、待機速度で運転される破砕プラント内において材料が行き止まることから生じる可能性があるが、この損傷または閉塞は、供給を制限することによって、あるいは、完全な供給の停止によって防止される。
【００３８】
破砕プラント１００が待機速度Ｒｓｂから処理速度Ｒｆに駆動される時には、ほぼすべてのアクチュエータを同時に加速することが可能であり、それによって、運転の中断から始動させる場合に比べて、大幅に短い時間Ｔ１・・・Ｔ２内で処理速度に達する。待機速度Ｒｓｂから処理速度Ｒｆへの切り換えは、例えば数秒間のこともある。これに対応して、処理速度Ｒｆから待機速度Ｒｓｂへの切り換えも、処理速度Ｒｆから運転中断への切り換えより大幅に短い時間しか要しないことが理解される。
【００３９】
破砕プラント１００のエネルギー消費は、処理モードよりも待機モードの方が大幅に小さい。エネルギー消費は、待機モードでは、処理モードよりも例えば５０％低いこともある。破砕プラント１００の騒音レベルも待機モードにおいては減少する。待機モードは、例えば破砕プラント１００の損傷または機能不全を防止するために破砕プラント１００を連続的に作動し続けなければならない非常に寒冷な周囲条件などでの処理速度での連続作動に比べて、エネルギーの節減を可能にする。待機モードは、処理プラント１００が、減速された待機速度でも寒冷な周囲条件において暖機状態を継続することを確実にする。例えば、使用される液圧油および種々の潤滑剤を、待機速度においても適切な運転温度で維持できる。前記の寒冷な周囲条件においては、待機モードを、破砕プラント１００のコンベヤの凍結除去にも利用できる。
【００４０】
待機モードの騒音レベルが低いことによって、例えば、破砕プラント１００が発生する累積騒音の量が例えば行政側の命令に従って制限されるような周囲条件において、破砕プラント１００の有効な運転時間の延長も可能になる。このような運転状況は、例えば都市環境において、解体された建物の材料のようなリサイクル可能材料を破砕する場合にますます頻発している。
【００４１】
意外なことに、待機モードは、破砕プラント１００の安全性を改善することも判明している。作動しかつ回転しているアクチュエータは容易に観察できるので、それに触れるのを避けるようになる。特に、運転の中断からの始動に関しては、例えば始動を指示する音響信号が無視される場合、あるいは、該当するアクチュエータが、始動手順の後段において、例えば音響信号から数分後または始動指令があってから数分後に始動する場合も破砕プラント１００のいくつかのアクチュエータが突然始動することがある。
【００４２】
待機モードは、また、破砕プラント１００のアクチュエータの特定の調整動作を実施するためにも利用できる。例えば、ジョークラッシャーのジョーは待機モードの間に調整することができ、あるいは、使用される予定のディーゼルエンジンの再生は、運転の中断時ではなく待機モードの間に実施することができる。いくつかの実施形態においては、破砕プラント１００の位置も待機モードにおいて微調整することができる。
【００４３】
図３は、本発明の好ましい一実施形態による方法のフローチャートを示す。最初のステップ３００において、破砕プラント１００は処理速度Ｒｆで作動している。
【００４４】
被供給材料の不足またはその他の理由から、破砕プラント１００を待機モードに切り換えることが望ましい状況になる。待機モードは、ステップ３１０において、例えばスイッチ１１１、１１１'を操作することによって開始される。例えば、破砕プラント１００を監視する運転員が待機モードを開始する。代わりの方式として、待機モードを、上記のように特定の条件が満たされた場合に自動的に開始させることができる。
【００４５】
ステップ３２０において、破砕プラント１００への鉱物材料の供給を、前記の方法で、供給に関わるアクチュエータを停止することによって、あるいは、その速度を、材料がアクチュエータ内で行き止まらないように減速することによって制限する。
【００４６】
処理プラント１００の１つまたは複数の原動機１０４の速度、およびそれに続いてアクチュエータの速度を、ステップ３３０において減速し、所望の待機モード速度Ｒｓｂを実現する３４０。その後、破砕プラント１００は減速された速度Ｒｓｂで運転継続する。
【００４７】
ステップ３５０において、待機モードのスイッチを、先ほどそのスイッチを入れた方法に応じた方法、すなわち手動でまたは自動的に切り、その後、１つまたは複数の原動機の速度、および運転速度を、処理速度Ｒｆに達するまで増大させる。その後、破砕プラント１００への材料の供給が、ステップ３８０において再度可能になり、破砕プラント１００の運転が処理モードにおいて継続する。
【００４８】
本発明の範囲、解釈または可能な用途をいかなる形においても制限することなしに、エネルギー消費および騒音発生が低減される点を、本発明の種々の実施形態の技術的利点と考えることができる。さらに、鉱物材料処理プラントの構成要素の稼働寿命が長くなることを、本発明の種々の実施形態の技術的利点と考えることができる。また、さらに、鉱物材料処理プラントの環境親和性の増大を、本発明の種々の実施形態の技術的利点と考えることができる。また、さらに、鉱物材料処理プラントの安全性の改善を、本発明の種々の実施形態の技術的利点と考えることができる。また、さらに、鉱物材料処理プラントの有効な運転時間の増大を、本発明の種々の実施形態の技術的利点と考えることができる。
【００４９】
以上の記述は、本発明のいくつかの実施形態の非制限的な例を提供するものである。本発明は、提示した詳細に限定されるのではなく、他の均等な方法において実施可能であることが当業者には明らかである。以上に開示した実施形態の特徴のいくつかは、他の特徴を使用することなく有利に使用することができる。
【００５０】
従って、以上の記述は、本発明の原理を単に例示するものと見做されるべきであり、本発明を制限するものではない。すなわち、本発明の範囲は、添付の特許請求の範囲によってのみ制限される。
【図１ａ】
0006475614.tif 000002
【図１ｂ】
0006475614.tif 000003
【図２】
0006475614.tif 000004
【図３】
0006475614.tif 000005